(57)【要約】      （修正有）【課題】有料道路の出口料金所で、ＥＴＣカードからの情報を読み取れずに上限金額が適用されるＥＴＣカード所有者に対し、その旨を通知するための情報を作成する料金情報処理装置を提供する。【解決手段】料金情報処理システムにおいて、料金情報処理装置の中央送受信部１１は、有料道路の入口を通過する車両の入口利用明細データ及び有料道路の出口を通過する車両の出口利用明細データを受信する。特定部１３は、入口利用明細データに対応する出口利用明細データに基づき、中央受信部１１にて受信されていない入口利用明細データを特定する。通知情報作成部１４は、特定した入口利用明細データに対して、所定料金を課金することを示す通知情報を作成し、料金精算情報記憶媒体の所有者に対して通知する。【選択図】図２
2020098624.tif 000002
【特許請求の範囲】
【請求項１】
有料道路の入口を通過する車両の入口利用明細データ、及び有料道路の出口を通過する車両の出口利用明細データを受信する中央受信部と、
前記入口利用明細データに対応する前記出口利用明細データが前記中央受信部に存在しない、入口利用明細データ  を特定する特定部と、
前期特定部で特定された前記入口利用明細データに対して、所定料金を課金することを示す通知情報を作成する通知情報作成部と、
前記通知情報作成部で作成された前記通知情報を出力する中央送信部と、
前記中央送信部から出力された通知情報を料金精算情報記憶媒体の所有者に対して通知する通知手段と、
を備える料金情報処理装置。
【請求項２】
前記特定部は、前記入口利用明細データを受信後、所定の時刻の経過後までに前記入口利用明細データに対応する前記出口利用明細データが前記中央受信部に存在しない、入口利用明細データを特定する請求項１に記載の料金情報処理装置。
【請求項３】
前記特定部は、前記入口利用明細データを受信後に前記入口利用明細データに対応する前記出口利用明細データが前記中央受信部に存在しない状態で、他の入口を通過した前記車両の入口利用明細データを受信した場合に、出口利用明細データが存在しないと特定する請求項１に記載の料金情報処理装置。
【請求項４】
前記料金精算情報記憶媒体または前記車両の所有者に通知するため、前記通知情報作成部で作成される、前記通知情報を表示する表示部を備える請求項１から３のいずれか一つに記載の料金情報処理装置。
【請求項５】
前記特定部で特定される入口利用明細データをもとに、前記料金精算情報記憶媒体の所有者の連絡先を抽出する抽出部を備える、請求項１から４のいずれか一つに記載の料金情報処理装置。
【請求項６】
前記特定部で特定される入口利用明細データをもとに、前記料金精算情報記憶媒体の所有者の連絡先を抽出する抽出部を備え、
前記中央送信部は、前記抽出部で抽出される連絡先に、前記通知情報作成部で作成される通知情報を送信する請求項１に記載の料金情報処理装置。
【請求項７】
有料道路の入口料金所に設置される入口料金所装置と出口料金所に設置される出口料金所装置から料金情報を収集する料金情報処理装置を備える料金情報処理システムであって、
前記入口料金所装置は、
車両が前記入口料金所を通過する際、前記車両内の料金精算情報記憶媒体に、前記入口料金所を前記車両が通過する時刻と入口料金所に固有に付与される入口識別情報とを含む入口通行履歴を書き込ませる入口書き込み指令部と、
前記料金精算情報記憶媒体に記憶される、通行料金を精算するために必要な情報である料金精算情報を受信し、前記入口通行履歴及び前記料金精算情報を含む入口利用明細データを前記料金情報処理装置に送信する入口送受信部と、
を備え、
前記出口料金所装置は、
通行料金算出部と、出口送受信部とを有し、
前記通行料金算出部は、前記出口送受信部で取得した前記入口識別情報及び出口料金所に固有に付与される出口識別情報をもとに通行料金を算出し、
前記出口送受信部は、前記出口料金所を通過する車両内の料金精算情報記憶媒体に記憶される前記料金精算情報及び前記入口通行履歴を受信し、前記出口料金所を前記車両が通過する時刻と前記出口識別情報とを含む出口通行履歴、前記料金精算情報、前記入口通行履歴、及び前記通行料金を含む出口利用明細データを前記料金情報処理装置に送信し、
前記料金情報処理装置は、
前記入口利用明細データ及び前記出口利用明細データを受信する中央受信部と、
前記入口利用明細データに対応する前記出口利用明細データが前記中央受信部に存在しない入口利用明細データを特定する特定部と、
前記特定部で特定された前記入口利用明細データに対して、所定料金を課金することを示す通知情報を作成する通知情報作成部と、
前記通知情報作成部で作成された前記通知情報を出力する中央送信部と、
前記中央送信部で出力された通知情報を料金精算情報記憶媒体の所有者に通知する通知手段と、
を備える料金情報処理システム。
【請求項８】
有料道路の入口料金所に設置される入口料金所装置と出口料金所に設置される出口料金所装置から料金情報を収集する料金情報処理装置と情報を送受信する通知装置を備える料金通知システムであって、
前記入口料金所装置は、
車両が前記入口料金所を通過する際、前記車両内の料金精算情報記憶媒体に、前記入口料金所を前記車両が通過する時刻と入口料金所に固有に付与される入口識別情報とを含む入口通行履歴を書き込ませる入口書き込み指令部と、
前記料金精算情報記憶媒体に記憶される、通行料金を精算するために必要な情報である料金精算情報を受信し、前記入口通行履歴及び前記料金精算情報を含む入口利用明細データを前記料金情報処理装置に送信する入口送受信部と、
を備え、
前記出口料金所装置は、
通行料金算出部と、出口送受信部とを有し、
前記通行料金算出部は、前記出口送受信部で取得した前記入口識別情報及び出口料金所に固有に付与される出口識別情報をもとに通行料金を算出し、
前記出口送受信部は、前記出口料金所を通過する車両内の料金精算情報記憶媒体に記憶される前記料金精算情報及び前記入口通行履歴を受信し、前記出口料金所を前記車両が通過する時刻と前記出口識別情報とを含む出口通行履歴、前記料金精算情報、前記入口通行履歴、及び前記通行料金を含む出口利用明細データを前記料金情報処理装置に送信し、
前記料金情報処理装置は、
前記入口利用明細データ及び前記出口利用明細データを受信する中央受信部と、
前記入口利用明細データに対応する前記出口利用明細データが前記中央受信部に存在しない入口利用明細データを特定する特定部と、
前記入口通行履歴と、前記特定部で特定された前記入口利用明細データとを対応させる通知要求データを作成する通知情報作成部と、
前記通知情報作成部で作成される、前記通知要求データを出力する中央送信部と、
を備え、
前記通知装置は、
前記中央送信部から受信する前記通知要求データの入口利用明細データをもとに、前記料金精算情報記憶媒体の所有者の連絡先を抽出する抽出部と、
前記抽出部で抽出される連絡先に、前記中央送信部から受信する前記通知要求データの通知情報を送信する通知部と、
を備える料金通知システム。
【請求項９】
料金情報処理装置を、
有料道路の入口を通過する車両の入口利用明細データ、及び有料道路の出口を通過する車両の出口利用明細データを受信する中央受信手段と、
前記入口利用明細データに対応する前記出口利用明細データが中央受信部に存在しない、入口利用明細データを特定する特定手段と、
前記特定手段で特定された前記入口利用明細データに対して、所定料金を課金することを示す通知情報を作成する通知情報作成手段と
前記通知情報作成手段で作成された前記通知情報を出力する中央送信手段と、
前記中央送信手段で出力された通知情報を料金精算情報記憶媒体の所有者に通知する通知手段と、
して機能させるための料金情報処理プログラム。
【請求項１０】
有料道路の料金情報を収集する料金情報処理装置による料金情報処理方法であって、
前記料金情報処理装置は、入口を通過する車両の入口利用明細データ、及び有料道路の出口を通過する車両の出口利用明細データを受信し、
前記入口利用明細データに対応する前記出口利用明細データが中央受信部に存在しない、入口利用明細データを特定し、
前記特定された前記入口利用明細データに対して、所定料金を課金することを示す通知情報を作成し、
作成された前記通知情報を出力し、
出力した前記通知情報を料金精算情報記憶媒体の所有者に通知する料金情報処理方法。
【発明の詳細な説明】
【技術分野】
【０００１】
本発明の実施形態は、料金情報処理装置、料金情報処理システム、料金通知システム、料金情報処理プログラム及び料金情報処理方法に関する。
【背景技術】
【０００２】
有料道路の料金体系には、均一料金体系と対距離料金体系の２種類がある。均一料金体系とは、入口と出口間の距離に関わらず利用料金は均一である料金体系である。対距離料金体系とは、入口と出口間の距離によって利用料金の異なる料金体系であり、走行距離に応じて課金が行われる。
【０００３】
また、有料道路における自動料金支払いシステムとしてＥＴＣシステムが用いられている。これは、料金所ゲートに設置されたアンテナと車両に搭載された車載器との間で、無線で情報を交信し、料金を課金するシステムであり、ＥＴＣ搭載車両は料金所を停止することなくスムースに通過することができる。ＥＴＣシステムは、ＥＴＣカードを車載器に挿入することで利用できる。ＥＴＣカード（料金精算情報記憶媒体）は、ＥＴＣシステムを利用して有料道路を通行した際に、通行料金を精算するためのＩＣカードである。
【０００４】
なお、有料道路の通行料金を後払いで精算するＥＴＣシステムは、クレジットカード会社の課金機能を利用するため、カードの発行手続きはクレジットカード会社が行う。
【０００５】
対距離料金体系の有料道路では、ＥＴＣカードを用いる場合、入口料金所でＥＴＣカードに入口の情報を書き込み、出口料金所でＥＴＣカードに書き込まれた入口の情報をもとに料金が算出される。
【０００６】
ただし、出口料金所ではなく、料金所に存在する開閉バーのない、車両がノンストップで出られる出口フリーフローが設置されている場合もある。このような出口フリーフローにおいて、車載器にＥＴＣカードが未挿入等の原因でＥＴＣカードの出口の情報が不足した場合には、料金収受が出来ないためその車両は「料金未払い」扱いになり、上限金額が適用される。
【０００７】
一般に、有料道路のパーキング等に入り利用者が車両から離れる場合は、防犯上、車載器に挿入されたＥＴＣカードを車載器から抜くのが原則である。そのため、その後車載器にＥＴＣカードを挿入するのを忘れ、そのまま出口フリーフローから出てしまう利用者が存在する。その、上限金額が適用されたことに気付かない利用者が一部存在する。
【先行技術文献】
【特許文献】
【０００８】
【特許文献１】特開２００８−４０８７１号公報
【発明の概要】
【発明が解決しようとする課題】
【０００９】
本発明の実施形態が解決しようとする課題は、有料道路の出口料金所で、ＥＴＣカードからの情報を読み取れずに上限金額が適用されるＥＴＣカード所有者に対し、その旨を通知するための情報を作成する料金情報処理装置を提供することである。
【課題を解決するための手段】
【００１０】
上記課題を解決するために、実施形態の料金情報処理装置は、中央受信部と特定部と通知情報作成部と中央送信部と通知手段とを備える。中央受信部は、有料道路の入口を通過する車両の入口利用明細データ、及び有料道路の出口を通過する車両の出口利用明細データを受信する。特定部は、入口利用明細データに対応する出口利用明細データが中央受信部に存在しない、入口利用明細データを特定する。通知情報作成部は、特定部で特定された入口利用明細データに対して、所定料金を課金することを示す通知情報を作成する。中央送信部は、通知情報作成部で作成された通知情報を出力する。通知手段は、中央送信部で出力された通知情報を料金精算情報記憶媒体の所有者に通知する。
【図面の簡単な説明】
【００１１】
【図１】本発明の第１の実施形態に係る料金情報処理装置の構成を示す図である。
【図２】本発明の第１の実施形態に係る料金情報処理システムを構成する各装置の機能ブロックを示す図である。
【図３】本発明の第１の実施形態に係るＥＴＣカードが車載器に挿入されている場合の料金情報処理のシーケンス図である。
【図４】本発明の第１の実施形態に係るＥＴＣカードが車載器に挿入されていない場合の料金情報処理のシーケンス図である。
【図５】本発明の第１の実施形態に係る料金情報処理の方法を示すフローチャートである。
【図６】本発明の第２の実施形態に係る料金情報処理システムを示す図である。
【図７】本発明の第２の実施形態に係る料金通知の方法を示すフローチャートである。
【発明を実施するための形態】
【００１２】
以下、図面を参照して発明を実施するための実施形態について説明する。
【００１３】
（第１の実施形態）
（構成）
図１を用いて、本実施形態の料金情報処理システムの構成について説明する。料金情報処理システムは、料金情報処理装置１、入口料金所装置２、及び出口フリーフロー装置（出口料金所装置）３を備える。
【００１４】
料金情報処理装置１は、入口料金所装置２および出口フリーフロー装置３と通信可能である。入口料金所装置２は、有料道路の入口料金所に設置されている。入口料金所装置２は、ＥＴＣカード８（料金精算情報記憶媒体）が挿入された車載器７が設置されている車両６が入口料金所を通行したことを検知すると、ＥＴＣカード８の情報を読み取り、また、ＥＴＣカード８に情報を書き込ませ、開閉バー５を開けて車両６の有料道路への進入を許可する。
【００１５】
入口料金所装置２が車両６を検知するとは、入口料金所に設置されているアンテナ５１が車載器７と無線通信をするとき、車両６を検知する。また、ＥＴＣカード８に情報を書き込ませるとは、入口料金所に設置されているアンテナ５１が直接通信をするのは車載器７であるため、入口料金所装置２は、車載器７に情報を書き込むように指令を送る。
【００１６】
出口フリーフロー装置３は、有料道路の出口フリーフローに設置されている。出口フリーフロー装置３は、ＥＴＣカード８が挿入された車載器７が設置されている車両６が入口料金所を通行したことを検知すると、ＥＴＣカード８の情報を読み取り、また、ＥＴＣカード８に情報を書き込ませ、開閉バー５を開けて車両６の有料道路への進入を許可する。
【００１７】
次に、料金情報処理システムを構成する各装置について図２を用いて説明する。ここで、料金通知システムは、料金情報処理装置１、入口料金所装置２、出口フリーフロー装置３及びクレジットカード会社システム４（通知装置）からなる。
【００１８】
料金情報処理装置１は、中央送受信部１１（中央送信部及び中央受信部）、照合部１２、特定部１３、及び通知情報作成部１４を備える。入口料金所装置２は、入口料金所マスタ２０、入口電波送信部２１、入口送受信部２２、入口書き込み指令部２３、及び入口利用明細データ作成部２４を備える。出口フリーフロー装置３は、出口フリーフローマスタ３０、出口電波送信部３１、出口送受信部３２、通行料金算出部３３、出口書き込み指令部３４、及び出口利用明細データ作成部３５を備える。クレジットカード会社システム４はＥＴＣカードマスタ４０、抽出部４１、及び通知部４２を備える。
【００１９】
入口料金所マスタ２０は、入口料金所固有に付与された情報を示す入口識別情報を記憶するデータベースである。入口識別情報は、例えば複数ある入口料金所毎に固有に付与された通し番号（例えば、００１、００２、・・・００Ｎ）である。
【００２０】
入口料金所マスタ２０は、例えばハードディスクやＳＳＤ等の記憶媒体で実現される。
【００２１】
入口電波送信部２１は、入口料金所に設置されているアンテナ５１から常に電波を発信させる。入口料金所に車両６が近づくと、車両６に設置されている車載器７がこの電波を受信する。車載器７は電波を受信すると、車載器固有に付与された情報を示す車載器情報と、車載器７に挿入されているＥＴＣカード８固有に付与された情報を示すＥＴＣカード情報（料金精算情報）とを送信する。ここで、車載器情報とＥＴＣカード情報をまとめて車両情報と名付ける。
【００２２】
車載器情報は例えば、１９桁の番号、ＥＴＣカード情報は例えば、１６桁の番号である。
【００２３】
入口送受信部２２は、車載器７が送信する車両情報を受信する。
【００２４】
入口書き込み指令部２３は、入口料金所に設置されているアンテナ５１から、無線通信で、入口料金所マスタ２０に記憶される入口識別情報と、入口料金所装置２が車両６の通過を検知した時刻を示す入口通過時刻（例えば、秒単位の時刻）とを、ＥＴＣカード８に書き込むように車載器７に指令を送る。ここで、入口識別情報と入口通過時刻をまとめて入口通行履歴と名付ける。
【００２５】
入口利用明細データ作成部２４は、車両６が入口料金所を通過するとすぐに、入口利用明細データを作成する。入口利用明細データとは、入口通行履歴と入口送受信部２２で受信する車両情報をまとめたものである。入口通行履歴は、入口料金所マスタ２０に記憶される入口識別情報と、入口料金所装置２が車両６の通過を検知した時刻を示す入口通過時刻である。
【００２６】
作成された入口利用明細データは、入口送受信部２２によって料金情報処理装置１に送信される。
【００２７】
入口料金所装置２の各構成は、例えばハードディスク、ＳＳＤ等の記憶媒体に格納されたソフトウェアによって実現され、図示しないＣＰＵによって実行される。
【００２８】
出口フリーフローマスタ３０は、出口フリーフロー固有に付与される情報を示す出口識別情報と、この出口フリーフローを通過する際に課金される通行料金とを記憶するデータベースである。出口識別情報は、例えば複数ある出口フリーフロー毎に固有に付与された通し番号である。通行料金は、入口識別情報と紐づけられて記憶されており、ある入口識別情報をもつ入口料金所で有料道路に入り、この出口フリーフローから有料道路を出た場合の通行料金である。
【００２９】
出口フリーフローマスタ３０は、例えばハードディスクやＳＳＤ等の記憶媒体で実現される。
【００３０】
出口電波送信部３１は、出口フリーフローに設置されているアンテナ５１から常に電波を発信させる。出口フリーフローに車両６が近づくと、車両６に設置されている車載器７がこの電波を受信する。車載器７はこの電波を受信すると、車両情報と入口通行履歴を送信する。車両情報は、車載器固有に付与された情報を示す車載器情報と、車載器７に挿入されているＥＴＣカード８固有に付与された情報を示すＥＴＣカード情報である。入口通行履歴は、入口書き込み指令部２３によってＥＴＣカード８に書き込まれた、入口識別情報と入口通過時刻である。
【００３１】
出口送受信部３２は、車載器７が送信する車両情報と入口通行履歴を受信する。
【００３２】
通行料金算出部３３は、出口送受信部３２が受信する、入口通行履歴に含まれる入口識別情報から、通行料金を算出する。通行料金は、出口フリーフローマスタ３０にて、入口識別情報と紐づけられて記憶されている。
【００３３】
ただし、ＥＴＣカード８が車載器７に未挿入等の理由で入口識別情報を出口送受信部３２が取得できない場合、通行料金は算出されない。
【００３４】
出口書き込み指令部３４は、出口フリーフローに設置されているアンテナ５１から、無線通信で、出口フリーフローマスタ３０に記憶される出口識別情報と、出口フリーフロー装置３が車両６の通過を検知した時刻を示す出口通過時刻（例えば、秒単位の時刻）と、通行料金算出部３３で算出される通行料金とを、ＥＴＣカード８に書き込むように車載器７に指令を送る。ここで、出口識別情報と出口通過時刻をまとめて出口通行履歴と名付ける。
【００３５】
出口利用明細データ作成部３５は、車両６が出口フリーフローを通過するとすぐに、出口利用明細データを作成する。出口利用明細データとは、出口通行履歴と、出口送受信部３２で受信する車両情報と、出口フリーフローマスタ３０に記憶されている通行料金をまとめたものである。出口通行履歴は、出口フリーフローマスタ３０に記憶される入口識別情報と、出口フリーフロー装置３が車両６の通過を検知した時刻を示す出口通過時刻である。通行料金は、出口送受信部３２で受信する入口通行履歴の入口識別情報と、出口フリーフローマスタ３０に記憶される出口識別情報をもとに算出する。
【００３６】
作成された出口利用明細データは、出口送受信部３２によって料金情報処理装置１に送信される。ただし、ＥＴＣカード８が車載器７に未挿入等の理由で車両情報や入口通行履歴を出口送受信部３２が取得できない場合、料金情報処理装置１に出口利用明細データは送信されない。
【００３７】
出口フリーフロー装置３の各構成は、例えばハードディスク、ＳＳＤ等の記憶媒体に格納されたソフトウェアによって実現され、図示しないＣＰＵによって実行される。
【００３８】
中央送受信部１１は、入口料金所装置２から入口利用明細データ、出口フリーフロー装置３から出口利用明細データを受信する。また、クレジットカード会社システム４へ請求情報を送信する。また、その請求情報の返答として支払情報を受信する。
【００３９】
照合部１２は、中央送受信部１１が受信する入口利用明細データと出口利用明細データのうち車両情報が同一のデータの有無を照合する。
【００４０】
特定部１３は、入口利用明細データはあるが出口利用明細データは存在しないという車両情報があるかを特定する。出口利用明細データが存在しないという判断基準は、中央送受信部１１にて入口利用明細データを受信後、所定の時刻が経過するまでに出口利用明細データを中央送受信部１１が受信するかで判断する。あるいは、中央送受信部１１にて入口利用明細データを受信後、他の有料道路の料金情報処理装置に同様の車両情報の入口利用明細データが受信されると、最初に入口利用明細データに対応する出口利用明細データは存在しないと判断される。
【００４１】
通知情報作成部１４は、照合部１２にて車両情報が一致するデータが有る場合、出口利用明細データに含まれる通行料金をクレジットカード会社システム４に請求するため、出口利用明細データをもとに請求情報を作成する。請求情報は、上限金額を請求する情報であり、少なくとも、車両情報と通行料金をまとめたものである。
【００４２】
一方、照合部１２にて車両情報が一致するデータが無い場合、つまり、特定部１３にて入口利用明細データはあるが出口利用明細データは存在しない車両情報が特定される場合、その車両情報をもつ所有者は通行料金として上限金額が適用される。通知情報作成部１４は、データの存在する入口利用明細データをもとに請求情報と通知要求データを作成する。
【００４３】
請求情報は、上限金額を請求する情報であり、少なくとも、車両情報と通行料金とをまとめたものである。通知要求データは、クレジットカード会社のシステムから通知を行えるような情報であり、少なくとも車両情報と入口通行履歴と通知情報とをまとめたものである。通知情報とは、ＥＴＣカード所有者９に連絡する内容である。例えば、上限金額を請求する旨、入口料金所を通過した時刻や場所、利用者向け問い合わせ先である。
【００４４】
通知情報の例としては、「２０１５／７／３０  １２:００  〇〇入口料金所を通過されましたが、出口フリーフローから出場された記録が確認できず、料金未払い扱いとなり、上限金額９３０円を請求させていただいておりますので、お心あたりがある場合はＥＴＣコールセンター（０３−ｘｘｘｘ−ｘｘｘｘ）までご連絡ください。」という旨の連絡である。
【００４５】
クレジットカード会社システム４はＥＴＣカードマスタ４０の情報をもとにＥＴＣカード所有者９に課金及び通知連絡を行う。その方法を以下に説明する。
【００４６】
ＥＴＣカードマスタ４０は、情報と対応付けられるＥＴＣカード所有者９の氏名及び連絡先等の情報を記憶する。連絡先は例えば、電話番号やメールアドレス、住所である。
【００４７】
料金情報処理装置１の各構成は、例えばハードディスク、ＳＳＤ等の記憶媒体に格納されたソフトウェアによって実現され、図示しないＣＰＵによって実行される。
【００４８】
クレジットカード会社システム４において、抽出部４１は、中央送受信部１１から受信する通知要求データの車両情報あるいはＥＴＣカード情報をもとに、ＥＴＣカードマスタ４０からＥＴＣカード所有者９の連絡先を抽出する。
【００４９】
通知部４２は、抽出部４１で抽出される連絡先に、通行料金の課金を行う。そして、課金処理を行った旨の連絡を支払情報として、料金情報処理装置１に送信する。また、中央送受信部１１から受信する通知要求データの通知情報を送信する。
【００５０】
（作用）
図３、４のシーケンス図を用いて、本実施形態の料金処理の方法について、車載器７にＥＴＣカード８を挿入して出口フリーフローを通過する場合と、挿入せずに出口フリーフローを通過する場合に分けて説明する。
【００５１】
図３は、車載器７にＥＴＣカード８を挿入して出口フリーフローを通過する場合の料金処理方法を示すシーケンス図である。本実施形態の料金処理方法を示すシーケンス図は図４であるが、比較のために通常の場合である車載器７にＥＴＣカード８を挿入して出口フリーフローを通過する場合の料金処理方法を説明する。
【００５２】
入口料金所装置２のアンテナ５１から、常に電波を発信させる（１１０）。車両６が入口料金所の近くを通過すると、車両６内の車載器７がその電波を受信し、車両情報を送信する（１１５）。車両情報とは、車載器７を識別するための車載器情報と、車載器７に挿入されているＥＴＣカード８を識別するためのＥＴＣカード情報である。
【００５３】
車両情報を受信した入口料金所装置２は、入口通行履歴を車載器７に送信し、ＥＴＣカード８に書き込むように指令を送る（１２０）。入口通行履歴とは、入口料金所装置２が車両６の通過を検知する時刻である入口通過時刻と、入口料金所の場所を特定する入口識別情報である。車載器７は、受信する入口通行履歴をＥＴＣカード８に書き込む。
【００５４】
その後、入口料金所装置２は車両情報と入口通行履歴をまとめた情報である入口利用明細データを作成し、それを料金情報処理装置１に送信する（１２５）。
【００５５】
出口フリーフロー装置３のアンテナ５１から、常に電波を発信させる（１３０）。車両６が出口フリーフローの近くを通過すると、車両６内の車載器７がその電波を受信し、車両情報と入口通行履歴を送信する（１３５）。入口通行履歴は、入口料金所装置２によってＥＴＣカード８に書き込まれた情報である。
【００５６】
車両情報と入口通行履歴を受信した出口フリーフロー装置３は、出口通行履歴を車載器７に送信し、ＥＴＣカード８に書き込むように指令を送る（１４０）。出口通行履歴とは、出口フリーフロー装置３が車両６の通過を検知する時刻である出口通過時刻と、出口フリーフローの場所を特定する出口識別情報である。
【００５７】
その後、出口フリーフロー装置３は、ＥＴＣカード８に書き込まれた情報である入口識別情報と、出口フリーフローマスタ３０に記憶される出口識別情報をもとに、通行料金を算出する（１４５）。その際、出口フリーフローマスタ３０に記憶される距離に応じた通行料金の情報がもとになる。
【００５８】
その後、出口フリーフロー装置３は車両情報、入口通行履歴、出口通行履歴及び通行料金をまとめた情報である出口利用明細データを作成し、それを料金情報処理装置１に送信する（１５０）。
【００５９】
料金情報処理装置１は、入口料金所装置２から受信する入口利用明細データと出口フリーフロー装置３から受信する出口利用明細データをもとに、請求情報を作成する。請求情報とは、車両情報と通行料金を対応させた情報である。その請求情報をクレジットカード会社システム４に送信する（１５５）。
【００６０】
その後、クレジットカード会社システム４がＥＴＣカード所有者９に課金処理を行う（１６０）。そして、クレジットカード会社システム４は課金が終了したことを伝える支払情報を料金情報処理装置１に送信する（１６５）。
図４は、本実施形態の場合である車載器７にＥＴＣカード８を挿入せずに出口フリーフローを通過する場合の料金処理方法を示すシーケンス図である。図４が図３と異なる点は、１３５、１４０、１４５のステップを削除し、２１０、２１５のステップを付加した点であり、これら以外は図３と同じであるので、同一部分には同一符号を付して詳細な説明は省略する
【００６１】
図４では、出口フリーフローを通過する際、車載器７にＥＴＣカード８を挿入していない。そのため、出口フリーフロー装置３からの電波を車載器７が受信しても、車両情報と入口通行履歴を送信しない。また、出口フリーフロー装置３は車両情報と入口通行履歴を受信できないため、出口通行履歴を送信しない。また、出口フリーフロー装置３は出口利用明細データを作成せず、送信しない。
【００６２】
料金情報処理装置１は、入口利用明細データを取得後、所定の時刻経過後までに出口利用明細データを取得しないと、通行料金を上限金額とする請求情報を作成する（１５５）。また、通知要求データを作成する（２１０）。通知要求データとは、車両情報、入口通行履歴及び通知情報である。通知情報とは例えば、ＥＴＣカード所有者９に連絡する内容である。例えば、上限金額を請求する旨、入口料金所を通過した時刻や場所、利用者向け問い合わせ先である。入口料金所を通過した時刻や場所は、入口通行履歴から抽出する。
【００６３】
クレジットカード会社システム４は、受信する請求情報をもとに、ＥＴＣカード所有者９に課金処理を行う（１６０）。また、クレジットカード会社システム４は、受信する通知要求データの車両情報をもとに、ＥＴＣカード所有者９の連絡先を抽出し、その連絡先に通知情報の通知を行う（２１５）。
【００６４】
図５のフローチャートを用いて、本実施形態の料金処理の方法について、出口フリーフローを、車載器７にＥＴＣカード８を挿入して通過する場合と、挿入せずに通過する場合に分けて具体的に説明する。
【００６５】
＜ＥＴＣカード８を車載器７に挿入して出口フリーフローを通過する場合＞
入口料金所において、アンテナ５１から発する電波が車両６によって受信されると、入口料金所装置２は、車両６に設置された車載器７、及び車載器７に挿入されているＥＴＣカード８から車両情報を取得する（Ｓ１１）。車両情報とは、車載器７の固有な情報である車載器情報と、ＥＴＣカード８の固有な情報であるＥＴＣカード情報である。
【００６６】
また、入口料金所装置２は車両６内のＥＴＣカード８へ入口通行履歴を書き込ませる（Ｓ１２）。つまり、入口料金所装置２は、車載器７に、ＥＴＣカード８へ入口通行履歴を書き込むよう指令を送る。入口通行履歴とは、入口料金所固有に付与された情報を示す入口識別情報と、入口料金所装置２が車両６の通過を検知する時刻である入口通過時刻を示す。
【００６７】
そして、車両６が入口料金所を通過すると、入口料金所装置２は入口利用明細データを作成し、料金情報処理装置１へ送信する（Ｓ１３）。入口利用明細データとは、車両情報と入口通行履歴を示す。
【００６８】
その後、車両６が出口フリーフローを通過する際、出口フリーフロー装置３は車載器７からＥＴＣカード８の情報を含む車両情報と、入口通行履歴の取得を試みる（Ｓ１４）。
【００６９】
出口フリーフロー装置３が、車両情報と入口通行履歴を取得する場合（Ｓ１４でＹｅｓ）、出口フリーフロー装置３は、車両６の入口通行履歴と出口通行履歴をもとにした走行距離に応じて通行料金を決定し（Ｓ１５）、料金情報処理装置１へ作成する出口利用明細データを送信する。出口利用明細データは、車両情報、入口通行履歴、出口通行履歴、及び通行料金である。
【００７０】
その後、料金情報処理装置１は、出口利用明細データをもとに請求情報を作成し、クレジットカード会社システム４へ送信する（Ｓ１８）。請求情報は、車両情報と通行料金である。
【００７１】
クレジットカード会社システム４で課金処理が実施された後、料金情報処理装置１はクレジットカード会社システム４から支払情報を受信する（Ｓ１９）。
【００７２】
＜ＥＴＣカード８を車載器７に挿入せずに出口フリーフローを通過する場合＞
一方、出口フリーフロー装置３が車両６から車両情報と、入口通行履歴を取得しない場合（Ｓ１４でＮｏ）、出口フリーフロー装置３は出口利用明細データを作成せず、料金情報処理装置１に送信しない。そのため、料金情報処理装置１には車両６の入口利用明細データは存在するが、出口利用明細データは存在しない。
【００７３】
つまり、料金情報処理装置１は、車両６の入口利用明細データを受信後、所定の時刻経過後に車両６の出口利用明細データが受信されない場合、その車両６を「料金未払い」扱いとし、通行料金として上限金額を適用する（Ｓ１６）。
【００７４】
出口フリーフロー装置３が車両６から車両情報と、入口通行履歴を取得しない場合とは例えば、ＥＴＣカード８が車載器７に挿入されていない場合だけでなく、車両６の通行速度が速過ぎたために出口フリーフロー装置３が車載器７と通信を行えなかった場合も含まれる。
【００７５】
そして、料金情報処理装置１は、入口利用明細データをもとに、通知要求データを作成し、クレジットカード会社システム４へ送信する（Ｓ１７）。通知要求データとは、入口通行履歴と車両情報を対応させた情報と通知情報である。クレジットカード会社システム４では、通知要求データのＥＴＣカード情報（料金精算情報）に含まれるＥＴＣカード番号をもとに、ＥＴＣカードマスタ４０から登録されている連絡先を抽出する。
【００７６】
そして、その連絡先に通知情報を通知する。通知情報とは例えば、「２０１５／７／３０  １２:００  〇〇入口料金所を通過されましたが、出口フリーフローから出場された記録が確認できず、料金未払い扱いとなり、上限金額９３０円を請求させていただいておりますので、お心あたりがある場合はＥＴＣコールセンター（０３−ｘｘｘｘ−ｘｘｘｘ）までご連絡ください。」という旨の通知連絡を行う。通知方法として、登録されている連絡先によるが、例えば、電話番号の場合は音声案内や、メールアドレスの場合はメール配信、住所の場合ははがきの送付が考えられる。
【００７７】
その後、料金情報処理装置１は、入口利用明細データをもとに上限金額を請求する請求情報を作成し、クレジットカード会社システム４へ送信する（Ｓ１８）。請求情報とは、車両情報と通行料金を対応させた情報である。
【００７８】
クレジットカード会社システム４で課金処理の後、料金情報処理装置１はクレジットカード会社システム４から支払情報を受信する（Ｓ１９）。
【００７９】
（効果）
対距離料金体系の有料道路において、出口フリーフローの通過履歴がなく通行料金の上限金額が適用された場合、あらかじめ登録された連絡先にその旨を通知するよう指示を送る。料金を都度確認していなかった利用者は、本人宛に直接連絡を受けることで上限金額が適用されたことを知ることができ、利用者はＥＴＣカード挿入し忘れを疑うきっかけにすることができる。
【００８０】
そのきっかけでＥＴＣカード挿入忘れが原因であったことに気付いた利用者は、所定の問い合わせ先（例：道路事業者のコールセンター）に連絡し実際に利用した距離の料金に変更してもらうことが出来る。
【００８１】
なお、通知要求データとは、車両情報と、入口通行履歴を対応付けた情報を含むと記載したが、ＥＴＣカード情報は車両に通行料金を請求するのに必要な情報であればよい。例えば、車載器の情報で通行料金の請求が行える場合は、車載器の情報と解釈されることができる。
【００８２】
また、通知要求データは、クレジットカード会社に送信するだけでなく、料金情報処理装置の図示しない表示部で表示させてもよい。表示を行うと、オペレータが通知要求データを確認でき、業務を効率よく行うことができる。
【００８３】
また、通知連絡を行う際、ＥＴＣカードの所有者に連絡することもできるが、車両の所有者の連絡先を把握できる場合、車両の所有者に連絡することもできる。
【００８４】
また、入口利用明細データ及び出口利用明細データに含まれる車両情報や、請求情報及び通知要求データに含まれる車両情報は、ＥＴＣカード情報と車載器情報を意味するが、少なくとも通行料金の課金を行える情報が含まれていればよい。例えば、入口利用明細データ及び出口利用明細データに含まれる車両情報は、ＥＴＣカード情報のみを示し、車載器情報は示さなくてもよい。また、料金情報処理装置の照合部にて、入口利用明細データ及び出口利用明細データの車両情報が一致するか否かの照合をする際、ＥＴＣカード情報あるいは車載器情報のどちらか一方が一致するかを照合すればよい。
【００８５】
また、入口通過時刻は、入口料金所装置２が車両６の通過を検知した時刻でもよいし、検知する装置がなければ、入口料金所装置２が車載器７と通信を行う時刻でもよい。
【００８６】
また、入口料金所装置２や出口フリーフロー装置３が車載器７と通信を行い情報の送受信、及び書き込みを行うのは、無線通信で行う。以下の実施形態でも同様である。
【００８７】
また、車両６について、普通車でも大型車でも本実施形態を適用できる。
【００８８】
また、本実施形態では、中央送受信部、入口送受信部、及び出口送受信部として、送信部と受信部をまとめて記載しているが、送信する機能を送信部、受信する機能を受信部として機能を分けて記載してもよい。
【００８９】
また、入口料金所装置、出口フリーフロー装置、料金情報処理装置の記憶媒体は、各マスタに限らず、ネットワーク上のサーバなどであってもよい。以下の実施形態でも同様である。
【００９０】
また、請求項に記載の料金精算情報記憶媒体は、ＥＴＣカードに限らず、通行料金を精算するために必要とされる情報を記憶する媒体全般を示す。同様に、請求項に記載の料金精算情報は、ＥＴＣカードのカード番号であるＥＴＣカード情報に限らず、通行料金を精算するために必要とされる情報全般を示す。
【００９１】
（第２の実施形態）
（構成）
本実施形態では、クレジット機能のある一般のＥＴＣカードではなく、ＥＴＣパーソナルカード（料金精算情報記憶媒体）を用いる場合とする。ここで、ＥＴＣパーソナルカードとは、クレジット機能なしでＥＴＣシステムを利用できる、高速道路会社が共同発行しているＥＴＣ専用カードである。本実施形態において、ＥＴＣカードと記載されている箇所は、一般のＥＴＣカードだけでなくＥＴＣパーソナルカードも含むとする。
【００９２】
図６を用いて、本実施形態の料金情報処理システムについて説明する。第２の実施形態が第１の実施形態と異なる点は、料金情報処理装置１の構成において中央抽出部１５と表示部１６とを付加し、また、料金情報処理装置１に記憶されるものとしてＥＴＣパーソナルカードマスタ１０を付加した点であり、これら以外は第１の実施形態と同じであるので、同一部分には同一符号を付して詳細な説明は省略する。なお、クレジットカード会社システム４は削除している。また、第１の実施形態と異なる作用を行う部分については説明する。
【００９３】
ＥＴＣパーソナルカードマスタ１０は、ＥＴＣパーソナルカード固有に付与された情報を示すＥＴＣパーソナルカード情報（料金精算情報）と対応付けられるＥＴＣパーソナルカード所有者の氏名及び連絡先等の情報を記憶する。
【００９４】
中央抽出部１５は、特定部１３にて特定される入口利用明細データはあるが出口利用明細データは存在しないという車両情報がある場合、ＥＴＣパーソナルカードのカード番号をもとに、ＥＴＣパーソナルカード所有者の氏名及び連絡先等の情報をＥＴＣパーソナルカードマスタ１０から抽出する。
【００９５】
本実施形態において通知情報作成部１４は、特定部１３にて特定される入口利用明細データはあるが出口利用明細データは存在しないという車両情報がある場合、ＥＴＣカード所有者に上限金額を課金した旨を通知する通知情報を作成する。通知情報とは例えば、入口料金所を通過した時刻や場所、利用者向け問い合わせ先である。
【００９６】
表示部１６は、少なくとも、ＥＴＣパーソナルカード情報と、入口通行履歴を対応させるデータを表示させる。ＥＴＣパーソナルカード情報は、所定時刻経過後に入口利用明細データに対応した出口利用明細データが存在しないＥＴＣパーソナルカードを識別する情報である。入口通行履歴は、その車両ＥＴＣパーソナルカードに書き込まれる、入口料金所装置２が車両６を検知した際の時刻と、料金所の場所を特定する入口識別情報である。
【００９７】
中央送受信部１１は、特定部１３にて特定される入口利用明細データはあるが出口利用明細データは存在しないという車両情報がある場合、中央抽出部１５によって抽出されるＥＴＣパーソナルカード所有者に、通行料金として上限金額を課金する処理を行う。
【００９８】
同時に、中央送受信部１１は、ＥＴＣパーソナルカード所有者に、通知情報作成部１４によって作成される通知情報を自動通知する。自動通知の方法としては、例えば、電話で自動音声案内を流すことや、登録されたメールアドレスへメールでの自動配信や、登録先の住所へはがきの自動送付などが考えられる。
【００９９】
（作用）
図７を用いて、本実施形態の料金通知方法に関するフローチャートについて説明する。第２の実施形態が第１の実施形態と異なる点は、Ｓ１７をＳ２１、Ｓ２２に変更した点であり、この点以外は第１の実施形態と同じであるので、同一部分には同一符号を付して詳細な説明は省略する。
【０１００】
料金情報処理装置１において、入口利用明細データはあるが出口利用明細データは存在しないという車両情報が特定される場合、料金情報処理装置１は、入口利用明細データのＥＴＣパーソナルカード情報をもとに、ＥＴＣパーソナルカードマスタ１０からＥＴＣパーソナルカード所有者の連絡先を抽出する（Ｓ２１）。連絡先は例えば、電話番号やメールアドレス、住所などである。
【０１０１】
そして、料金情報処理装置１は、少なくとも、ＥＴＣパーソナルカード情報と入口通行履歴を対応させるデータを表示させる。あるいはＥＴＣパーソナルカード所有者の連絡先に通知情報を自動で通知連絡する（Ｓ２２）。
【０１０２】
ここで、通知情報は例えば、上限金額を請求する旨、入口料金所を通過した時刻や場所、利用者向け問い合わせ先である。
【０１０３】
具体的には、第１の実施形態と同様に、「２０１５／７／３０  １２:００  〇〇入口料金所を通過されましたが、出口フリーフローから出場された記録が確認できず、料金未払い扱いとなり、上限金額９３０円を請求させていただいておりますので、お心あたりがある場合はＥＴＣコールセンター（０３−ｘｘｘｘ−ｘｘｘｘ）までご連絡ください。」という旨の連絡が考えられる。
【０１０４】
また、自動通知連絡の手段は、登録されている連絡先によるが、例えば、電話番号の場合は自動音声案内、メールアドレスの場合は自動メール配信、住所の場合ははがきの送付を自動的に行う。
【０１０５】
（効果）
カード会社が発行するクレジットカードである一般的なＥＴＣカードの所有者だけでなく、クレジット機能なしでＥＴＣシステムを利用できるカードであるＥＴＣパーソナルカードの所有者も本発明の第１の実施形態に係る料金通知を受けることができる。つまり、クレジットカードを所有できないあるいは所有したくないと思う利用者も、本発明の第１の実施形態に係る料金通知を受けることができる。
【０１０６】
なお、自動通知連絡を行う際、ＥＴＣパーソナルカードの所有者に連絡することもできるが、車両の所有者の連絡先を把握できる場合、車両の所有者に連絡することもできる。
【０１０７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０８】
１    料金情報処理装置
１０  ＥＴＣパーソナルカードマスタ
２    入口料金所装置
２０  入口料金所マスタ
３    出口フリーフロー装置
３０  出口フリーフローマスタ
４    クレジットカード会社システム
４０  ＥＴＣカードマスタ
５    開閉バー
５１  アンテナ
６    車両
７    車載器
８    ＥＴＣカード
９    ＥＴＣカード所有者
【図１】
2020098624.tif 000003
【図２】
2020098624.tif 000004
【図３】
2020098624.tif 000005
【図４】
2020098624.tif 000006
【図５】
2020098624.tif 000007
【図６】
2020098624.tif 000008
【図７】
2020098624.tif 000009